(57)【要約】【課題】ポケットから薬剤を取り出しやすい薬剤包装用ＰＴＰシートを提供する。【解決手段】ＰＴＰシート１０は、ポケット１６及び平板部分１９を有する第１シート１４と、第１シート１４に貼着されて、ポケット１６の開口１７を塞ぐ第２シート１５と、を備える。ポケット１６は、ポケット１６の内部空間を画定する壁２０に沿って形成された折れ曲げ部分２１と、折り曲げ部２１を挟んで位置する左部分２２及び右部分２３と、を有する。【選択図】図１
2020031899.tif 000002
【特許請求の範囲】
【請求項１】
表裏面の一方である第１面から突出するドーム形状のポケット、及びポケットの周囲に拡がる平板部分を有する第１シートと、
上記第１シートにおける上記第１面と反対側の第２面に貼着されて、上記ポケットの開口を塞ぐ第２シートと、を備えており、
上記ポケットは、
上記ポケットの内部空間を画定する壁に沿って形成されており、上記ポケットの内部空間へ突出する向きへ折れ曲がり易い折れ曲げ部分と、
上記折り曲げ部を挟んで位置しており、上記折れ曲げ部分より上記ポケットの内部空間へ突出する向きへ折れ曲がり難い第１部分及び第２部分と、を有する薬剤包装用ＰＴＰシート。
【請求項２】
上記折れ曲げ部分は、上記壁に沿って線状に延びている請求項１に記載の薬剤包装用ＰＴＰシート。
【請求項３】
上記折れ曲げ部分の両端は、上記平板部分付近に至っている請求項２に記載の薬剤包装用ＰＴＰシート。
【請求項４】
上記折れ曲げ部分は、１つの上記ポケットについて１つが形成されている請求項１から３のいずれかに記載の薬剤包装用ＰＴＰシート。
【請求項５】
上記第１部分及び上記第２部分の各最突出位置は、上記折れ曲げ部分の最突出位置より上記平板部分から離れている請求項１から４のいずれかに記載の薬剤包装用ＰＴＰシート。
【請求項６】
上記ポケットの開口は、上記折れ曲げ部分の位置において最も大きく、上記折れ曲げ部分から離れるにつれて徐々に小さくなっている請求項１から５のいずれかに記載の薬剤包装用ＰＴＰシート。
【請求項７】
上記ポケットは、上記第１面と直交する方向から視た外形が楕円形であり、
上記折れ曲げ部分は、上記ポケットの短軸方向に沿って延びている請求項１から６のいずれかに記載の薬剤包装用ＰＴＰシート。
【請求項８】
上記折れ曲げ部分は、凹溝である請求項１から７のいずれかに記載の薬剤包装用ＰＴＰシート。
【請求項９】
上記折れ曲げ部分は、上記ポケットの内部空間へ突出する向きへ突出する谷折れである請求項１から７のいずれかに記載の薬剤包装用ＰＴＰシート。
【請求項１０】
上記折れ曲げ部分は、上記壁の厚みが他の部分より薄い薄肉部分である請求項１から７のいずれかに記載の薬剤包装用ＰＴＰシート。
【請求項１１】
上記平板部分は、他の部分より、上記第１シートを谷側とし且つ上記第２シートを山側として折れ曲げ易い平板折れ曲げ部分を有しており、
上記平板折れ曲げ部分は、上記折れ曲げ部分を含む仮想直線に沿って延びている請求項１から１０のいずれかに記載の薬剤包装用ＰＴＰシート。
【請求項１２】
上記第１シートは、上記第１面と直交する方向から視た外形が矩形であって、当該矩形において対向する２つの端部に、当該端部を上記ポケットへ近づく向きへ折り曲げ可能な折り曲げ線が形成されており、
上記ポケットは、上記２つの端部の間に１つが位置する請求項１から１１のいずれかに記載の薬剤包装用ＰＴＰシート。
【請求項１３】
上記第２シートは、上記第１シートの開口を塞ぐ部分に破断線を有する請求項１から１２のいずれかに記載の薬剤包装用ＰＴＰシート。
【発明の詳細な説明】
【技術分野】
【０００１】
本発明は、薬剤包装用ＰＴＰシートに関する。
【背景技術】
【０００２】
ＰＴＰ（Ｐｒｅｓｓ  Ｔｈｒｏｕｇｈ  Ｐａｃｋａｇｅ）包装は、医薬品包装の分野において、錠剤やカプセル剤等の固形薬剤の包装に広く用いられている。ＰＴＰ包装は、主として、薬剤を収容するポケットを樹脂フィルムに成型し、ポケットに薬剤を充填した後、アルミ箔からなるシート（以下、単にアルミ箔とする。）によってポケットを封止した包装体（シート）である。
【０００３】
ＰＴＰシートからの薬剤の取り出しは、以下のような手順によって行われる。患者が指先によってポケット越しに薬剤を押圧すると、ポケットが弾性変形し、薬剤がアルミ箔へ押圧される。薬剤の押圧によって、ポケットの開口を塞いでいるアルミ箔が破断する。また、ポケットの内部空間を画定する壁が、内部空間へ突出するように変形されることによって、変形した壁に押された薬剤が、開口を通じてポケットの外側へ突出する。患者は、ポケットの開口から突出した薬剤を摘まみ持って、ポケットから取り出す。
【先行技術文献】
【特許文献】
【０００４】
【特許文献１】特許第６０８９０７５号公報
【発明の概要】
【発明が解決しようとする課題】
【０００５】
しかしながら、例えば、高齢者であったり、リウマチに罹患した患者であったり、指先を使った細かな作業が行い難い人や指先に力が入り難い人にとって、前述したようなＰＴＰシートからの薬剤の取り出しや容易ではないという問題がある。
【０００６】
特許文献１に係るＰＴＰシートは、ポケットが蛇腹形状である。ＰＴＰシートが二つ折りにされると、蛇腹形状によってポケットが収縮変形する。そして、薬剤が収容できなくなるまでポケットが収縮変形すると、ポケットの内壁が薬剤を圧迫する。圧迫された薬剤は、アルミ箔を突き破る。
【０００７】
しかしながら、特許文献１に係るＰＴＰシートでは、薬剤が収容できなくなるまでポケットが収縮変形することが必須である。そのため、ポケットの外形が大きく変化するように、ポケットの大半に複数の凸条が形成される必要がある。そのため、ポケットの外形が複雑となり、金型の形状が複雑となったり、安定したＰＴＰシートの製造が難しくなったりするという問題がある。
【０００８】
また、薬剤が収容できなくなるまでポケットが収縮変形されるには、ＰＴＰシートを大きく折り曲げる必要があり、指先を動作させる範囲が広くなる。そのため、指先が曲がりにくい人にとっては、作業が容易ではない。また、ポケットを収縮変形させるための力の向きと、薬剤をアルミ箔に圧迫させる向きとが大きく異なるので、必ずしも、薬剤をアルミ箔圧迫させてアルミ箔を破断させるために要する力が小さくならない。
【０００９】
また、蛇腹形状に複数の凸状がポケットの大半に形成されることによって、ＰＴＰシートが二つ折りされたときにはポケットが変形しやすくなる一方、ＰＴＰシートが二つ折りされていない状態においては、ポケットはアルミ箔に近づく向きへ変形し難くなる。その結果、ＰＴＰシートから薬剤を取り出すための操作方法が限定されるので、薬剤をアルミ箔に押圧するようにポケットを変形させる一般的な取り出し方法が行い難くなる。
【００１０】
本発明は、上記事情に鑑みてなされたものであり、その目的は、ポケットから薬剤を取り出しやすい薬剤包装用ＰＴＰシートを提供することにある。
【００１１】
また、本発明の他の目的は、薬剤包装用ＰＴＰシートのポケットの形状を簡易なものとして、製造を容易にすることにある。
【課題を解決するための手段】
【００１２】
(1)  本発明に係る薬剤包装用ＰＴＰシートは、表裏面の一方である第１面から突出するドーム形状のポケット、及びポケットの周囲に拡がる平板部分を有する第１シートと、上記第１シートにおける上記第１面と反対側の第２面に貼着されて、上記ポケットの開口を塞ぐ第２シートと、を備える。上記ポケットは、上記ポケットの内部空間を画定する壁に沿って形成されており、上記ポケットの内部空間へ突出する向きへ折れ曲がり易い折れ曲げ部分と、上記折り曲げ部を挟んで位置しており、上記折れ曲げ部分より上記ポケットの内部空間へ突出する向きへ折れ曲がり難い第１部分及び第２部分と、を有する。
【００１３】
第１シート及び第２シートは、折り曲げ部分に沿って折り曲げられる。第１シート及び第２シートが折り曲げられると、第２シートにおいてポケットの開口を塞いでいる部分が引っ張られて破断する。第１シート及び第２シートが折り曲げ部分に沿って折り曲げられ、且つ第２シートが破断することによって、ポケットは、折り曲げ部分が内部空間へ突出し、且つ折れ曲げ部分の両端付近の開口が拡がるように変形する。このようなポケットの変形によって、内部空間へ突出した折れ曲げ部分が、ポケットに収容された薬剤を、開口を通じて、ポケットの外へ押し出す。また、薬剤をアルミ箔に押圧するようにポケットを変形させる一般的な取り出し方法も容易に行い得る。
【００１４】
(2)  好ましくは、上記折れ曲げ部分は、上記壁に沿って線状に延びている。
【００１５】
上記構成によれば、第１シート及び第２シートが、折り曲げ部分に沿って二つ折りされやすい。
【００１６】
(3)  好ましくは、上記折れ曲げ部分の両端は、上記平板部分付近に至っている。
【００１７】
上記構成によれば、折り曲げ部分がポケットの内部空間に大きく突出する。
【００１８】
(4)  好ましくは、上記折れ曲げ部分は、１つの上記ポケットについて１つが形成されている。
【００１９】
上記構成によれば、ポケットの形状が簡易である。
【００２０】
(5)  好ましくは、上記第１部分及び上記第２部分の各最突出位置は、上記折れ曲げ部分の最突出位置より上記平板部分から離れている。
【００２１】
上記構成によれば、第１シート及び第２シートが、折り曲げ部分に沿って二つ折りされやすい。
【００２２】
(6)  好ましくは、上記ポケットの開口は、上記折れ曲げ部分の位置において最も大きく、上記折れ曲げ部分から離れるにつれて徐々に小さくなっている。
【００２３】
上記構成によれば、折れ曲げ部分の両端付近の開口が拡がるように変形しやすい。
【００２４】
(7)  好ましくは、上記ポケットは、上記第１面と直交する方向から視た外形が楕円形であり、上記折れ曲げ部分は、上記ポケットの短軸方向に沿って延びている。
【００２５】
上記構成によれば、折れ曲げ部分が変形しやすく、且つ第１部分及び第２部分が変形しにくい。
【００２６】
(8)  好ましくは、上記折れ曲げ部分は、凹溝である。
【００２７】
(9)  好ましくは、上記折れ曲げ部分は、上記ポケットの内部空間へ突出する向きへ突出する谷折れである。
【００２８】
(10)  好ましくは、上記折れ曲げ部分は、上記壁の厚みが他の部分より薄い薄肉部分である。
【００２９】
(11)  好ましくは、上記平板部分は、他の部分より、上記第１シートを谷側とし且つ上記第２シートを山側として折れ曲げ易い平板折れ曲げ部分を有しており、上記平板折れ曲げ部分は、上記折れ曲げ部分を含む仮想直線に沿って延びている。
【００３０】
上記構成によれば、第１シート及び第２シートが、折り曲げ部分に沿って二つ折りされやすい。
【００３１】
(12)  好ましくは、上記第１シートは、上記第１面と直交する方向から視た外形が矩形であって、当該矩形において対向する２つの端部に、当該端部を上記ポケットへ近づく向きへ折り曲げ可能な折り曲げ線が形成されており、上記ポケットは、上記２つの端部の間に１つが位置する。
【００３２】
折り曲げ線に沿って折り曲げられた２つの端部がユーザに持たれることにより、第１シート及び第２シートが、折り曲げ部分に沿って二つ折りされやすい。
【００３３】
(13)  好ましくは、上記第２シートは、上記第１シートの開口を塞ぐ部分に破断線を有する。
【００３４】
上記構成によれば、第１シート及び第２シートが二つ折りされることによって、第２シートにおいてポケットの開口を塞ぐ部分が破断しやすい。
【発明の効果】
【００３５】
本発明に係る薬剤包装用ＰＴＰシートによれば、第１シート及び第２シートが折り曲げ部分に沿って折り曲げられることによって、ポケットから薬剤が取り出される。また、薬剤をアルミ箔に押圧するようにポケットを変形させる一般的な取り出し方法も容易に行い得る。
【００３６】
また、本発明に係る薬剤包装用ＰＴＰシートは、ポケットの形状が簡易なので、製造が容易である。
【図面の簡単な説明】
【００３７】
【図１】図１は、ＰＴＰシート１０の平面図である。
【図２】図２は、ＰＴＰシート１０の前面図である。
【図３】図３は、ＰＴＰシート１０の裏面図である。
【図４】図４は、図１のIV-IV切断線におけるポケット１６付近の断面を示す断面図である。
【図５】図５は、ＰＴＰシート１０を二つ折りした状態における平面図である。
【図６】図６は、ＰＴＰシート１０を二つ折りした状態における断面図である。
【図７】図７は、変形例に係るＰＴＰシート１０を示す前面図である。
【図８】図８は、別の変形例に係るＰＴＰシート１０を示す断面図である。す模式図である。
【発明を実施するための形態】
【００３８】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。なお、以下の説明において、上下を基準として上下方向５が定義され、上下方向５と垂直な方向に前後方向６が定義され、上下方向５及び前後方向６とそれぞれ垂直な方向に左右方向７が定義されている。
【００３９】
［ＰＴＰシート１０の概略構成］
図１に示されるように、ＰＴＰシート１０は、平面視において長方形のシートである。なお、ＰＴＰシート１０の外形において、長方形の隅が丸められていてもよい。図１及び図４に示されるように、ＰＴＰシート１０は、内側に錠剤やカプセル剤（以下、これらをまとめて薬剤１１とする。）が封止された状態で実施される。本実施形態では、１つのＰＴＰシート１０に、１つの薬剤１１が封止されている。
【００４０】
ＰＴＰシート１０は、ポリプロピレンにより成型された第１シート１４とアルミニウムフィルムである第２シート１５とが貼着されたものである。第１シート１４に形成されたポケット１６に、薬剤１１が収容されている。ポケット１６の開口１７（図４参照）は第２シート１５によって閉塞されている。
【００４１】
以下、ＰＴＰシート１０の各構成部材がより詳細に説明される。以下の説明において、各シートの上面及び下面という表現が用いられることがあるが、これらは図１におけるＰＴＰシート１０の向きを基準としたものである。また、第１シート１４の上面（ポケット１６が突出された側の面）が第１面に相当し、下面（第２シート１５と貼着された側の面）が第２面に相当する。
【００４２】
［第１シート１４］
図１に示される第１シート１４は、熱可塑性樹脂であるポリプロピレン（ＰＰ）を成型したシートである。第１シート１４は、一定の透光性を有している。これにより、患者は、第１シート１４を透過して、ポケット１６に収容された薬剤１１などを視認することができる。
【００４３】
なお、第１シート１４には、ＰＰに代えて、例えば、ポリ塩化ビニル（ＰＶＣ）、ポリエチレンテレフタレート（ＰＥＴ）、又は環状ポリオレフィンが使用されてもよい。あるいは、樹脂の層が異なる薄膜によってコーティングされて、第１シート１４が構成されていてもよい。あるいは２種類以上の樹脂の層がラミネートされて、第１シート１４が構成されていてもよい。
【００４４】
第１シート１４は、上下方向５ら視た外形が長方形（矩形の一例）であって、長方形において対向する２辺であって短辺に対応する端部１４Ａ，１４Ｂに、ポケット１６へ近づく向きへ円弧形状に湾曲した折り曲げ線２４がそれぞれ形成されている。折り曲げ線２４は、例えば溝や破線状の切り込み（ミシン目）などである。図１では、折り曲げ線２４が破線で示されている。ポケット１６は、左右方向７において端部１４Ａ，１４Ｂの間に位置する。
【００４５】
図１に示されるように、第１シート１４には、１つのポケット１６が設けられている。図２，図４に示されるように、ポケット１６は、第１シート１４が上方へ突出するようにドーム形状に成型されたものである。つまり、ポケット１６において、第１シート１４の上面が上方へ突出され、下面が上方へ陥没されている。この陥没された部分に、薬剤１１が収容される内部空間が形成されている。この内部空間と外部空間とを連続する開口１７が、第１シート１４の下面に開かれている。ポケット１６の寸法は、薬剤１１を完全に収容可能なものであり、薬剤１１の大きさによって適宜変更される。
【００４６】
ポケット１６を上下方向５から視た外形は、前後方向６の寸法より左右方向７の寸法が長い楕円形である。つまり、ポケット１６は、前後方向６が短軸方向であり、左右方向７が長軸方向である。ポケット１６の詳細な説明は後述される。
【００４７】
［第２シート１５］
図３に示されるように、第２シート１５は、ポケット１６に薬剤１１が収容された状態において、第１シート１４の下面（第２面）に貼着されたアルミニウムフィルムである。平面視における第２シート１５の外形は、第１シート１４と同じである。なお、図３においては、第１シート１４に形成されたポケット１６の開口１７の位置が破線で示されている。図４に示されるように、第２シート１５によって、ポケット１６の開口は閉ざされ、薬剤１１はポケット１６の内側に封止されている。
【００４８】
第２シート１５の厚みは、第１シート１４と共に第２シート１５が二つ折りされた際、ポケット１６の開口１７を塞ぐ部分に加わる張力によって破断する程度の厚みである。なお、第２シート１５の素材は、アルミニウム以外のものが用いられてもよい。たとえば、第２シート１５は、アルミニウム以外の金属であってもよく、アルミニウムと他の金属の合金であってもよい。また、ポケット１６の気密性を確保できるものであれば、第２シート１５に他の化学材料が用いられてもよい。
【００４９】
ポケット１６に薬剤１１が収容された状態において、第１シート１４と第２シート１５とは、加熱状態おいて圧着される。その際、熱によって半溶解された第１シート１４の下面が凝固することで、第１シート１４と第２シート１５とが溶着される。
【００５０】
第２シート１５において、開口１７を塞ぐ部分には、前後方向６に沿って破断線１８が形成されている。破断線１８は、第２シートが破断しやすいように下降された微小な溝や切り込みなどである。破断線１８は、開口１７の左右方向７の中央に位置する。破断線１８は、後述される仮想直線８上に位置する。
【００５１】
［折れ曲げ部分２１］
図１及び図２に示されるように、ポケット１６には、ポケット１６の内部空間を画定する壁２０に沿って折れ曲げ部分２１が形成されている。折れ曲げ部分２１は、平面視において、ポケット１６の外形である楕円形の短軸に沿った仮想直線８上に位置する。つまり、折れ曲げ部分２１は、平面視において直線状に延びている。折れ曲げ部分２１の両端は、第１シート１４の平板部分１９へ到達している。なお、折れ曲げ部分２１の両端は、平板部分１９に完全に至っていなくてもよく、平板部分１９付近に到達していてもよい。折れ曲げ部分２１は、１個のポケット１６に対して１つが形成されている。
【００５２】
図２及び図４に示されるように、折れ曲げ部分２１は、壁２０の外面がポケット１６の内部空間へ向かって凹む凹溝である。これにより、折れ曲げ部分２１は、壁２０における折れ曲げ部分２１以外の他の部分（左部分２２及び右部分２３）と比べて、ポケット１６の内部空間へ突出する向きへ折れ曲がり易い。
【００５３】
ポケット１６において、折れ曲げ部分２１の左右方向７の両側には、左部分２２（第１分又は第２分の一例）と、右部分２３（第１部分又は第２部分の一例）とが位置する。左部分２２及び右部分２３は、折れ曲げ部分２１と同様の構成を有しないドーム形状である。つまり、左部分２２及び右部分２３は、折れ曲げ部分２１と比べて、ポケット１６の内部空間へ突出する向きへ折れ曲がり難い。
【００５４】
図２に示されるように、左部分２２の最突出位置２２Ａ及び右部分２３の最突出位置２３Ａは、折れ曲げ部分２１の最突出位置２１Ａより、平板部分１９（第１シート１４の第１面）から上方へ離れている。左部分２２は、図２における左端から最突出位置２２Ａへ向かって隆起するように突出し、最突出位置２２Ａから最突出位置２１Ａへ向かって緩やかに下降している。右部分２３は、図２における右端から最突出位置２３Ａへ向かって隆起するように突出し、最突出位置２３Ａから最突出位置２１Ａへ向かって緩やかに下降している。
【００５５】
図３に示されるように、ポケット１６の開口１７は、折れ曲げ部分２１の両端が到達する位置において、すなわち仮想直線８上の位置において最も大きい寸法Ｌ１（前後方向６に沿った寸法）であり、折れ曲げ部分２１から左右方向７の左方及び右方へ離れるにつれて、前後方向６に沿った寸法が徐々に小さくなっている。例えば、ポケット１６の左部分２２の左端付近の前後方向に沿った寸法Ｌ２は、寸法Ｌ１より短い（Ｌ１＞Ｌ２）。なお、開口１７の仮想直線８上の位置における前後方向６に沿った寸法は、厳密には折れ曲げ部分２１の凹溝の底となるが、ここでは、折れ曲げ部分２１の凹溝の開口部分における寸法を指している。
【００５６】
［平板折れ曲げ部分］
図１に示されるように、第１シート１４において、ポケット１６の周囲には、平板形状の平板部分１９が拡がっている。平板部分１９によって、第１シート１４の平面視の外形が形成されている。平板部分１９には、左右方向７の中央において前後方向６に沿って延びる平板折れ曲げ部分３０が形成されている。つまり、平板折れ曲げ部分３０は、平面視において、仮想直線８上に位置する。平板折れ曲げ部分３０は、ポケット１６の周縁から第１シート１４の周縁まで直線状に延びている。
【００５７】
平板折れ曲げ部分３０は、平板部分１９の他の部分より、第１シート１４を谷側とし且つ第２シート１５を山側として、つまり、ポケット１６を内側として折れ曲げ易い箇所である。平板折れ曲げ部分３０は、例えば、溝や破線状の切り込み（ミシン目）などである。
【００５８】
［ＰＴＰシート１０から薬剤１１を取り出す方法］
ユーザは、第１シート１４の端部１４Ａ，１４Ｂを折れ曲げ線２４に沿って上向きへ起立させるように折り曲げる。そして、ユーザは、折り曲げられた端部１４Ａ，１４Ｂの裏面、すなわち端部１４Ａ，１４Ｂに貼り付けられた第２シート１５の一部分の面を持って、折れ曲げ部分２１及び平板折れ曲げ部分３０に沿って、第１シート１４及び第２シート１５を、ポケット１６を内側にして二つ折りにするように折り曲げる。第１シート１４及び第２シート１５が二つ折りに折り曲げられると、第２シート１５においてポケット１６の開口１７を塞いでいる部分が引っ張られる。この引っ張りによって、第２シート１５は破断線１８に沿って破断する。
【００５９】
さらに、第１シート１４及び第２シート１５が折り曲げられると、図６に示されるように、ポケット１６において、折り曲げ部分２１が内部空間へ突出し、且つ、折れ曲げ部分２１の両端付近の開口１７が拡がるように変形する。このようなポケット１６の変形によって、内部空間へ突出した折れ曲げ部分２１が、ポケット１６に収容された薬剤１１を、開口１７を通じて、ポケット１６の外へ押し出す。これにより、ポケット１６から薬剤１１が取り出される。
【００６０】
また、ユーザは、一般的な取り出し方法によっても薬剤１１をＰＴＰシート１０から取り出すことができる。具体的には、ユーザは、第１シート１４を二つ折りすることなく、ポケット１６を第２シート１５へ近づく向きへ押し潰す。ポケット１６は、折り曲げ部分２１が谷折りとなるように押し潰される。そして、押し潰されたポケット１６を介して、薬剤１１が第２シート１５に押圧される。薬剤１１が押圧された第２シート１５が破断線１８に沿って破断することによって、ポケット１６から薬剤１１が取り出される。
【００６１】
［上記実施形態の作用効果］
上記実施形態に係るＰＴＰシート１０によれば、ポケット１６から薬剤１１を取り出しやすい。また、上記実施形態に係るＰＴＰシート１０によれば、薬剤１１を第２シート１５に押圧するようにポケット１６を変形させる一般的な取り出し方法も容易に行い得る。また、一般的な取り出し方法において、ポケット１６が折り曲げ部分２１が谷折りとなるように変形するので、ポケット１６の変形が安定し、第２シート１５を破断してポケット１６が突出する薬剤１１の位置が安定する。また、ポケット１６の形状が簡易なので、ＰＴＰシート１０の製造が容易である。
【００６２】
また、折れ曲げ部分２１が壁２０に沿って直線状に延びているので、第１シート１４及び第２シート１５が、折り曲げ部分２１に沿って二つ折りされやすい。
【００６３】
また、折れ曲げ部分２１の両端は、平板部分１９付近に至っているので、ＰＴＰシート１０が二つ折りされることにより、折り曲げ部分２１がポケット１６の内部空間に大きく突出する。
【００６４】
また、折れ曲げ部分２１は、１つのポケット１６について１つが形成されているので、ポケット１６の形状が簡易である。
【００６５】
また、左部分２２及び右部分２３の各最突出位置２２Ａ，２３Ａは、折れ曲げ部分２１の最突出位置２１Ａより平板部分１９から離れているので、第１シート１４及び第２シート１５が、折り曲げ部分２１に沿って二つ折りされやすい。
【００６６】
また、ポケット１６の開口１７は、折れ曲げ部分２１の位置において前後方向６に沿った寸法が最も大きく、折れ曲げ部分２１から左右方向７へ離れるにつれて徐々に小さくなっているので、ＰＴＰシート１０が二つ折りされることにより、折れ曲げ部分２１の両端付近の開口１７が拡がるように変形しやすい。
【００６７】
また、ポケット１６の外形は平面視が楕円形であり、折り曲げ部分２１は、ポケット１６の短軸方向に沿って延びているので、ＰＴＰシート１０が二つ折りされることにより、折れ曲げ部分２１が変形しやすく、且つ左部分２２及び右部分２３が変形しにくい。
【００６８】
また、平板部分１９が仮想直線８に沿って延びる平板折れ曲げ部分３０を有しているので、第１シート１４及び第２シート１５が、折り曲げ部分２１に沿って二つ折りされやすい。
【００６９】
また、第１シート１４は長方形であって、端部１４Ａ，１４Ｂに円弧状に湾曲した折り曲げ線２４がそれぞれ形成されているので、ユーザが端部１４Ａ，１４Ｂを持って、第１シート１４及び第２シート１５を二つ折りしやすい。
【００７０】
また、第２シート１５は、ポケット１６の開口１７を塞ぐ部分に破断線１８を有するので、ＰＴＰシート１０が二つ折りされることによって、第２シート１５においてポケット１６の開口１７を塞ぐ部分が破断しやすい。
【００７１】
［変形例］
上記実施形態では、折れ曲げ部分２１は凹溝であるが、折れ曲げ部分２１は他の形状であってもよい。例えば、図７に示されるように、折れ曲げ部分２１は、ポケット１６の内部空間へ突出する向きへ突出する谷折れであってもよい。また、図８に示されるように、折れ曲げ部分２１は、壁２０の厚みが他の部分より薄い薄肉部分であってもよい。
【００７２】
また、上記実施形態で示されたポケット１６の配置及び数は一例であり、当業者によって適宜変更されてもよい。例えば、ＰＴＰシート１０に２個のポケット１６が形成されており、２個のポケット１６が、左右方向７を長軸方向として、前後方向６に並べられてもよい。また、平面視におけるポケット１６の外形は楕円形に限定されず、例えば円形であってもよい。
【００７３】
また、ＰＴＰシート１０の平面視の外形は長方形に限定されず、例えば、正方形や平行四辺形、台形などの四角形であってもよい。また、ＰＴＰシート１０における前後方向６及び左右方向７は相対的な関係である。
【００７４】
また、折り曲げ線２４は、円弧状に湾曲したものに限定されない。例えば、ＰＴＰシート１０の平面視の外形に平行な直線状の折り曲げ線２４が端部１４Ａ，１４Ｂに形成されてもよい。また、折り曲げ線２４は必ずしも第１シート１４に形成されていなくてもよい。
【符号の説明】
【００７５】
１０・・・ＰＴＰシート
１４・・・第１シート
１５・・・第２シート
１６・・・ポケット
１７・・・開口
１８・・・破断線
１９・・・平板部分
２０・・・壁
２１・・・折れ曲げ部分
２２・・・左部分（第１部分又は第２部分）
２３・・・右部分（第１部分又は第２部分）
２４・・・折り曲げ線
３０・・・平板折れ曲げ部分
【図１】
2020031899.tif 000003
【図２】
2020031899.tif 000004
【図３】
2020031899.tif 000005
【図４】
2020031899.tif 000006
【図５】
2020031899.tif 000007
【図６】
2020031899.tif 000008
【図７】
2020031899.tif 000009
【図８】
2020031899.tif 000010